(57)【要約】【課題】照明器具の誤った取り付けを防止できる取付金具を提供する。【解決手段】所定の取付ピッチＰに設けられた上下の孔部24，25を有する照明器具11を取り付ける取付金具12である。取付金具12は、一対の取付板部31、これら取付板部31の幅方向の一側縁部31aを連結する連結部32、および取付板部31の上側と下側とにそれぞれ上下方向に対向するとともに前記幅方向に複数個ずつ並んで設けられた複数の取付孔34a，34b，34c，35a，35b，35cを有する。上下方向に対向する取付孔34a，34b，34c，35a，35b，35cのうち、中央で上下方向に対向する取付孔34b，35bのピッチが取付ピッチＰと一致し、中央以外で上下方向に対向する取付孔34a，34cと35a，35cのピッチが取付ピッチＰと異なる。上下方向に対して斜めに対向する取付孔のピッチが取付ピッチＰと一致する。【選択図】図１
2017033763.tif 000002
【特許請求の範囲】
【請求項１】
所定の取付ピッチに設けられた上下の孔部を有する照明器具を取り付ける取付金具であって、
一対の取付板部、これら取付板部の幅方向の一側縁部を連結する連結部、および前記取付板部の上側と下側とにそれぞれ上下方向に対向するとともに前記幅方向に複数個ずつ並んで設けられた複数の取付孔を有し、
上下方向に対向する前記取付孔のうち、中央で上下方向に対向する前記取付孔のピッチが前記取付ピッチと一致し、中央以外で上下方向に対向する前記取付孔のピッチが前記取付ピッチと異なり、かつ、上下方向に対して斜めに対向する前記取付孔のピッチが前記取付ピッチと一致する
ことを特徴とする取付金具。
【請求項２】
前記取付板部の前記一側縁部と前記一側縁部に最も近い前記取付孔との間の幅は、前記取付孔と前記取付孔との間の幅よりも狭い
ことを特徴とする請求項１記載の取付金具。
【請求項３】
前記連結部の上下方向の幅は、一対の前記取付板部の間の幅よりも広い
ことを特徴とする請求項１または２記載の取付金具。
【請求項４】
請求項１ないし３いずれか一記載の取付金具と；
所定の取付ピッチに設けられた上下の孔部を有し、この孔部および前記取付金具の前記連結孔に挿通される固定具によって前記取付金具に取り付けられる照明器具と；
を具備することを特徴とする照明装置。
【発明の詳細な説明】
【技術分野】
【０００１】
本発明の実施形態は、照明器具を取り付ける取付金具、およびこの取付金具を用いた照明装置に関する。
【背景技術】
【０００２】
従来、例えば防犯灯等の照明器具では、壁面やポールの上端に固定される固定アダプタ等の設置部に設置する場合、取付金具が用いられている。照明器具の筐体には一対の取付片が突設され、この取付片の上下に所定のピッチで対向する上下の孔部が設けられている。
【０００３】
取付金具は、照明器具を任意の設置角度で取り付けることが可能となっているものがある。この取付金具は、上下に複数の取付孔が設けられており、照明器具の上下の孔部をどの上下の取付孔に合わせてボルト止めするかによって、照明器具の設置角度を調整することが可能となっている。
【０００４】
しかしながら、取付金具には上下に複数の取付孔が設けられているため、誤った上下の取付孔に対して照明器具を取り付けようとして、取付金具や筐体が変形したり、筐体を所定の設置角度に設置することができない虞がある。
【先行技術文献】
【特許文献】
【０００５】
【特許文献１】特開２０１４−７２１０６号公報
【発明の概要】
【発明が解決しようとする課題】
【０００６】
本発明が解決しようとする課題は、照明器具の誤った取り付けを防止できる取付金具、およびこの取付金具を用いた照明装置を提供することである。
【課題を解決するための手段】
【０００７】
実施形態は、所定の取付ピッチに設けられた上下の孔部を有する照明器具を取り付ける取付金具である。取付金具は、一対の取付板部、これら取付板部の幅方向の一側縁部を連結する連結部、および取付板部の上側と下側とにそれぞれ上下方向に対向するとともに幅方向に複数個ずつ並んで設けられた複数の取付孔を有する。上下方向に対向する取付孔のうち、中央で上下方向に対向する取付孔のピッチが取付ピッチと一致し、中央以外で上下方向に対向する取付孔のピッチが取付ピッチと異なる。上下方向に対して斜めに対向する取付孔のピッチが取付ピッチと一致する。
【発明の効果】
【０００８】
本発明によれば、照明器具の誤った取り付けを防止できる取付金具を提供することが期待できる。
【図面の簡単な説明】
【０００９】
【図１】一実施形態を示す取付金具および照明器具の斜視図である。
【図２】同上取付金具の正面図である。
【図３】同上照明器具の設置角度を(a)〜(e)に示す側面図である。
【図４】同上取付金具に関するもので、(a)は取付金具の側面図、(b)は設置角度と上下の取付孔の組み合わせとの関係を示す表である。
【図５】同上照明器具の斜視図である。
【発明を実施するための形態】
【００１０】
以下、一実施形態を、図１ないし図５を参照して説明する。
【００１１】
図１に示すように、照明装置10は、例えば、ポールの上部側、あるいは壁面やポールの上端に固定される固定アダプタ等の設置部に設置される防犯灯である。
【００１２】
照明装置10は、照明器具11、およびこの照明器具11を設置部に取り付ける取付金具12を備える。
【００１３】
そして、図１および図５に示すように、照明器具11は、筐体15、この筐体15に組み込まれた光源ユニット16、および筐体15の下面に取り付けられた透光カバー17等を備えている。
【００１４】
まず、光源ユニット16について説明する。光源ユニット16は、筐体15の下面に配設される基板19、この基板19にそれぞれ実装された光源としての発光素子20および電源回路（図示せず）を備えている。基板19の下面前側に発光素子20が実装され、基板19の上面後側に電源回路が実装されている。
【００１５】
発光素子20は、例えばＳＭＤ（Surface Mount Device）パッケージ方式の複数のＬＥＤが用いられている。なお、発光素子20は、ＣＯＢ（Chip On Board）モジュールを用いてもよく、また、ＥＬ（Electro Luminescence）素子等を用いてもよい。
【００１６】
電源回路は、外部から供給される交流電力を所定の直流電力に変換し、この直流電力を発光素子20に供給して発光素子20を発光させる。
【００１７】
また、筐体15は、例えばアルミダイカスト等の金属製で一体成形されている。筐体15は、前後方向に長い形状に形成され、内部に空間が形成されているとともに下面が開口されている。
【００１８】
筐体15の後側には、設置部に設置するための取付部21が突設されている。取付部21は、筐体15に一体に形成されていて筐体15の後側から後方へ突出する一対の取付片22を有している。一対の取付片22の互いに対向する内面は、上方へ向けて拡開するように傾斜する傾斜面に形成されている。
【００１９】
取付片22の後縁部は、筐体15の前端側が上昇するように筐体15の下面の角度が水平面に対して例えば２０°の角度に傾斜する状態で、水平面に対して垂直となるように構成されている。
【００２０】
取付片22には、取付片22の後縁部と平行に溝部23が形成され、取付片22の後縁部と溝部23との間の上下の孔部24，25が形成されている。上下の孔部24，25は、所定の取付ピッチＰに設けられている。
【００２１】
筐体15の後側には、一対の取付片22から、電源回路に電源を供給する電線26が導出されている。
【００２２】
また、透光カバー17は、透光性を有する例えば合成樹脂やガラス等の透明な材料によって一体に形成されている。透光カバー17は、筐体15の下面開口を閉塞し、筐体15に固定されている。透光カバー17には、各発光素子20の位置に対応して配光を制御するレンズ部27が一体に形成されている。
【００２３】
次に、図１ないし図４(a)に示すように、取付金具12は、金属板をプレス成形して一体に形成されている。取付金具12は、互いに対向する一対の取付板部31、これら取付板部31の幅方向の一側縁部31aを連結する連結部32、および取付板部31の幅方向の他側縁部31bからそれぞれ突出する一対の固定板部33を備えている。
【００２４】
取付板部31は、上側および下側にそれぞれ複数の取付孔34a，34b，34cおよび複数の取付孔35a，35b，35cが形成されている。複数の取付孔34a〜34c，35a〜35cは、取付板部31の上側と下側とにそれぞれ上下方向に対向するように幅方向に並設されている。本実施形態では、取付板部31の上側および下側にそれぞれ３つずつの取付孔34a〜34c，35a〜35cが取付板部31の幅方向に並設されているとともに、中央で上下方向に対向する取付孔34b，35bと、中央よりも取付板部31の一側縁部31a側で上下方向に対向する取付孔34a，35aと、中央よりも取付板部31の他側縁部31b側で上下方向に対向する取付孔34c，35cとが、それぞれ上下方向に対向する。なお、上下方向とは、取付板部31の一側縁部31aまたは他側縁部31bに沿った方向である。
【００２５】
上下方向に対向する取付孔34a〜34c，35a〜35cのうち、中央で上下方向に対向する取付孔34b，35bのピッチが取付ピッチＰと一致し、中央以外の一側および他側でそれぞれ上下方向に対向する取付孔34a，35aおよび取付孔34c，35cのピッチが取付ピッチＰと異なっている。一側および他側でそれぞれ上下方向に対向する取付孔34a，35aおよび取付孔34c，35cのピッチは、取付ピッチＰよりも小さくなっている。
【００２６】
上下方向に対して斜めに対向する取付孔のピッチが取付ピッチＰと一致している。すなわち、上側一側の取付孔34aと下側中央の取付孔35bとのピッチ、上側他側の取付孔34cと下側中央の取付孔35bとのピッチ、上側一側の取付孔34aと下側他側の取付孔35cとのピッチ、上側他側の取付孔34cと下側一側の取付孔35aとのピッチが、それぞれ取付ピッチＰと一致している。
【００２７】
取付板部31の一側縁部31aとこの一側縁部31aに最も近い取付孔34a，35aとの間の幅W1は、取付孔34aと取付孔34b間、取付孔34bと取付孔34cとの間、および、取付孔35aと取付孔35b間、取付孔35bと取付孔35cとの間のそれぞれの幅W2よりも狭くなっている。
【００２８】
一対の取付板部31は、筐体15の一対の取付片22の間に配設される。一対の取付板部31は、取付片22の内面の傾斜に対応して、上方に向けて拡開するように傾斜されている。そのため、一対の取付板部31の下側の対向幅が上側の対向幅よりも狭くなっている。
【００２９】
連結部32は、取付板部31の一側縁部31aの中央域から直角に折曲されて設けられている。連結部32の折曲部分の一部には切欠き部36が設けられている。連結部32の上下には、電線26を通すことが可能な開口部37が形成されている。そして、連結部32の上下方向の幅W3は、一対の取付板部31の間の最も狭い幅W4よりも広くなっている。
【００３０】
固定板部33は、取付板部31の他側縁部31bから外側方へ向けて直角に折曲されている。固定板部33の上下には、設置部に設置するための設置孔38，39がそれぞれ形成されている。上側の設置孔38は、だるま孔形状に形成されている。
【００３１】
また、照明器具11と取付金具12とを固定する固定具42としてボルト43およびナット44が用いられる。ボルト43は、頭部43aおよび軸部43bを有し、軸部43bが孔部24，25および取付孔34a〜34c，35a〜35cに挿通可能とする。なお、図１には、１組のボルト43およびナット44のみを示しているが、上下の孔部24，25に対応して２組用いられる。
【００３２】
次に、取付金具12を用いた照明器具11の設置について説明する。
【００３３】
取付金具12は、固定板部33によって設置部に固定される。
【００３４】
照明器具11の一対の取付片22を取付金具12の一対の取付板部31の外側に嵌合し、上下のボルト43の軸部43bを、一側の取付片22の上側の孔部24および下側の孔部25、一対の取付板部31の上側の取付孔34a〜34cのいずれか１つ，下側の取付孔35a〜35cのいずれか１つ、他側の取付片22の上側の孔部24および下側の孔部25にそれぞれ挿入し、他側の取付片22から突出する軸部43bにナット44をそれぞれ螺着し、これらボルト43の頭部43aとナット44を取付片22に締め付け固定する。
【００３５】
そして、照明器具11を取付金具12に取り付ける際、照明器具11の設置角度α（図３(a)参照）を任意に設定することができる。設置角度αは、水平方向に対する照明器具11の先端側が上昇する角度である。
【００３６】
図３(a)〜(e)には照明器具11の設置角度を示し、図４(b)は設置角度αと上下の取付孔34a〜34c，35a〜35cの組み合わせとの関係を示す表である。なお、図４(b)に示す組み合わせには、取付孔34a〜34c，35a〜35cの符号を用いる。
【００３７】
図３(a)に示すように、照明器具11の設置角度αを２０°に設定する場合には、照明器具11の上下の孔部24，25を取付金具12の上下中央の取付孔34b，35bに合わせ、ボルト43およびナット44でそれぞれ固定する。この孔部24，25と取付孔34b，35bとの組み合わせは、取付ピッチＰが一致している。
【００３８】
図３(b)に示すように、照明器具11の設置角度αを１０°に設定する場合には、照明器具11の上側の孔部24および下側の孔部25を取付金具12の上側一側の取付孔34aおよび下側中央の取付孔35bに合わせ、ボルト43およびナット44でそれぞれ固定する。この孔部24，25と取付孔34a，35bとの組み合わせは、取付ピッチＰが一致している。
【００３９】
図３(c)に示すように、照明器具11の設置角度α（図３(c)には図示しない）を０°に設定する場合には、照明器具11の上側の孔部24および下側の孔部25を取付金具12の上側一側の取付孔34aおよび下側他側の取付孔35cに合わせ、ボルト43およびナット44でそれぞれ固定する。この孔部24，25と取付孔34a，35cとの組み合わせは、取付ピッチＰが一致している。
【００４０】
図３(d)に示すように、照明器具11の設置角度αを３０°に設定する場合には、照明器具11の上側の孔部24および下側の孔部25を取付金具12の上側他側の取付孔34cおよび下側中央の取付孔35bに合わせ、ボルト43およびナット44でそれぞれ固定する。この孔部24，25と取付孔34c，35bとの組み合わせは、取付ピッチＰが一致している。
【００４１】
図３(e)に示すように、照明器具11の設置角度αを４０°に設定する場合には、照明器具11の上側の孔部24および下側の孔部25を取付金具12の上側他側の取付孔34cおよび下側一側の取付孔35aに合わせ、ボルト43およびナット44でそれぞれ固定する。この孔部24，25と取付孔34c，35aとの組み合わせは、取付ピッチＰが一致している。
【００４２】
また、仮に、照明器具11の上下の孔部24，25を中央以外の一側または他側でそれぞれ上下方向に対向する取付孔34a，35aまたは取付孔34c，35cに合わせてボルト43およびナット44で固定しようとしても、取付孔34a，35aのピッチまたは取付孔34c，35cのピッチは取付ピッチＰと異なっているため、孔部24，25と取付孔34a，35aまたは取付孔34c，35cとは一致せず、上下のいずれか一方にボルト43を通しても、他方にはボルト43を通すことができないため、照明器具11を取付金具12に取り付けることはできない。
【００４３】
このように、本実施形態の取付金具12によれば、照明器具11の誤った取り付けを防止できる。
【００４４】
また、取付板部31の一側縁部31aとこの一側縁部31aに最も近い取付孔34a，35aとの間の幅W1は、取付孔34aと取付孔34b間、取付孔34bと取付孔34cとの間、および、取付孔35aと取付孔35b間、取付孔35bと取付孔35cとの間のそれぞれの幅W2よりも狭くなっている。これは、取付板部31の幅を狭くするためで、筐体15からの取付片22の突出量が小さい小形の照明器具11の取り付けに対応することができる。なお、この取付金具12は、筐体15からの取付片22の突出量が小さい小形の照明器具11だけでなく、筐体15からの取付片22の突出量が大きい比較的大形の照明器具11の取り付けにも対応する。
【００４５】
また、連結部32の上下方向の幅W3は、一対の取付板部31の間の最も狭い幅W4よりも広くしているため、取付板部31の一側縁部31aとこの一側縁部31aに最も近い取付孔34a，35aとの間の幅W1を狭くしても、取付孔34a，35aの周辺の強度を確保することができる。
【００４６】
なお、取付金具の上下に設けられる取付孔の数は上記実施形態に限られるものではなく、上記実施形態よりも多くしても少なくしてもよい。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
10    照明装置
11    照明器具
12    取付金具
24，25    孔部
31    取付板部
31a   一側縁部
32    連結部
34a，34b，34c，35a，35b，35c    取付孔
42    固定具
Ｐ    取付ピッチ
【図１】
2017033763.tif 000003
【図２】
2017033763.tif 000004
【図３】
2017033763.tif 000005
【図４】
2017033763.tif 000006
【図５】
2017033763.tif 000007